(57)【要約】【課題】テンプルの交換が迅速に行え、フレームとテンプルの取り付け箇所の構造を強化できるメガネ構造を提供する。【解決手段】本考案のメガネ構造は、フレーム１、テンプル２及び係止部材３を有する。フレーム１は、相対する端部１１に係止孔１１２１が設けられて保持部１１３を形成する。テンプル２は、テンプル本体２１の一端が湾曲延伸して連接アーム２２を形成し、連接アーム２２がフレーム１の端部１１に隣接する。テンプル本体２１に第一貫通口２１１が設けられ、連接アーム２２に第二貫通口２２１が設けられる。係止部材３は係止凸ブロック３１を有し、係止凸ブロック３１に係止構造３１１が設けられ、係止凸ブロック３１は外側から内側へ、すなわちフレーム１の二つの端部１１の間の方向へ第一貫通口２１１、第二貫通口２２１及び係止孔１１２１を貫通することで、係止構造３１１が保持部１１３に係止される。【選択図】図２
0003171796.tif 000002
【実用新案登録請求の範囲】
【請求項１】
相対する二つの端部を有し、いずれの前記端部にも少なくとも一つの係止孔が設けられて保持部を形成するフレームと、
テンプル本体を有し、前記テンプル本体の一端が湾曲延伸して連接アームを形成し、前記連接アームが前記フレームの前記端部に隣接し、前記テンプル本体に少なくとも一つの第一貫通口が設けられ、前記連接アームに前記第一貫通口に対応する少なくとも一つの第二貫通口が設けられるように構成された二つのテンプルと、
少なくとも一つの係止凸ブロックを有し、前記係止凸ブロックに係止構造が設けられ、前記係止凸ブロックが外側から内側へ前記第一貫通口、前記第二貫通口及び前記係止孔を貫通して、前記係止凸ブロックの前記係止構造が前記保持部に係止されるように構成された二つの係止部材と、
を備えることを特徴とするメガネ構造。
【請求項２】
前記フレームのいずれの前記端部も湾曲状の湾曲部及び直線状の延伸部を有し、
前記フレームの両側に位置する二つの前記湾曲部はそれぞれ同一方向に延伸して前記延伸部を形成し、
前記係止孔は前記延伸部を貫通して柱状の前記保持部を形成することを特徴とする請求項１記載のメガネ構造。
【請求項３】
前記テンプル本体の一端は前記延伸部の延伸方向へ湾曲延伸して前記連接アームを形成し、且つ、
前記テンプル本体の一端と前記連接アームとは連続してＵ字型を呈し、
前記テンプル本体は弾性構造であり、
前記連接アームは前記係止孔と前記テンプル本体の間に位置することを特徴とする請求項２記載のメガネ構造。
【請求項４】
前記係止部材は基底を有し、
前記基底の面積は前記テンプル本体の前記第一貫通口の面積より大きく、
前記係止孔に近い側の前記基底の内表面に前記係止凸ブロックが設けられ、
前記基底の前記内表面に垂直な前記係止凸ブロックの側縁周囲が前記第一貫通口及び前記第二貫通口に対応する形状構造に形成され、
前記第一貫通口及び前記第二貫通口は方形を呈し、
前記係止孔、前記第一貫通口及び前記第二貫通口の位置は直線上となるように配列し、
前記第二貫通口の口径は前記第一貫通口の口径より大きいことを特徴とする請求項３記載のメガネ構造。
【請求項５】
前記テンプル本体の一端は前記延伸部の延伸方向へ湾曲延伸して前記連接アームを形成し、且つ、
前記テンプル本体の一端と前記連接アームとは連続してＵ字型を呈し、
前記テンプル本体は弾性構造であり、前記テンプル本体は前記係止孔と前記連接アームの間に位置することを特徴とする請求項２記載のメガネ構造。
【請求項６】
前記係止部材は基底を有し、
前記基底の面積は前記テンプル本体の前記第一貫通口の面積より大きく、
前記係止孔に近い側の前記基底の内表面に前記係止凸ブロックが設けられ、
前記基底の前記内表面に垂直な前記係止凸ブロックの側縁周囲が前記第一貫通口及び前記第二貫通口に対応する形状構造に形成され、
前記第一貫通口及び前記第二貫通口は方形を呈し、
前記係止孔、前記第一貫通口及び前記第二貫通口の位置は直線上となるように配列し、
前記第二貫通口の口径は前記第一貫通口の口径より小さいことを特徴とする請求項５記載のメガネ構造。
【請求項７】
前記フレームから離れた側の前記テンプル本体の一端は、前記フレームの前記二つの端部の間へ向けて湾曲して湾曲構造を形成することを特徴とする請求項１記載のメガネ構造。
【請求項８】
前記係止構造は、上から下へ前記係止凸ブロックを貫通し、前記係止凸ブロックの一方の側面の中央に切れ目状に設けられ、
前記係止構造が前記保持部に係止されるとき、前記係止凸ブロックの相対する他方の側面と前記係止孔の孔壁との間が所定の距離となることを特徴とする請求項１記載のメガネ構造。
【請求項９】
鼻当てをさらに有し、
前記フレームは前記二つの端部の間に位置する中間部を有し、前記鼻当てが前記中間部に設けられることを特徴とする請求項１記載のメガネ構造。
【請求項１０】
二つのレンズをさらに有し、
前記フレームは二つの対称をなすレンズ開口を有し、前記レンズ開口が前記端部に隣接し、前記レンズが前記レンズ開口に対応して前記フレームに固定されることを特徴とする請求項１記載のメガネ構造。
【考案の詳細な説明】
【技術分野】
【０００１】
本考案はメガネ構造に関し、特に目の視覚能力を調整するメガネ構造に関するものである。
【背景技術】
【０００２】
従来のメガネ構造は通常フレーム、テンプル、レンズ、鼻当てから構成される。通常、フレームとテンプルとの取り付けはねじ締めによる。しかしながら、フレームとテンプルの取り付け箇所は非常に細く、ねじを前記構造に合わせるために、より小さいねじ部材を選択しなければならない。そのため、テンプルを取り外し又は取り付けする時、専用の道具（ねじドライバー等）を用意しなければならず、また、取り外した小さいねじを不注意でなくしてしまう恐れもあり、メガネ使用者にとって非常に不便であった。
【０００３】
また、ねじによりテンプルをフレームに固定する方法の場合、通常フレームとテンプルの取り付け箇所で締めたねじのねじ山が長期的に摩耗されると、ねじが緩む恐れがある。
【考案の概要】
【考案が解決しようとする課題】
【０００４】
テンプルはフレームに対して長期的に開閉運動することにより、ねじのねじ山が潰れ、ねじが容易に外れてしまう。この時、メガネ使用者はメガネを持ってメガネ専門店へ修理に行かなければならず、時間がかかるばかりか金銭的にも負担がかかる。従って、ねじによる固定方法のメガネ構造は、生活を不便にし、経済的にも不利となるなどの問題点がある。
【０００５】
そこで上記事情を鑑みて、本考案では、フレームとテンプルの取り付け箇所を締めるねじのねじ山が長期的に摩耗することによるねじの緩む問題を改善することができるメガネ構造を提供する。
【課題を解決するための手段】
【０００６】
本考案はフレーム、二つのテンプル及び二つの係止部材を有するメガネ構造を提供する。フレームは、相対する二つの端部を有し、いずれの端部にも少なくとも一つの係止孔が設けられて保持部を形成する。テンプルはテンプル本体を有し、テンプル本体の一端が湾曲延伸して連接アームを形成し、連接アームがフレームの端部に隣接する。テンプル本体に少なくとも一つの第一貫通口が設けられ、連接アームに第一貫通口に対応する少なくとも一つの第二貫通口が設けられる。係止部材は少なくとも一つの係止凸ブロックを有し、係止凸ブロックに係止構造が設けられ、係止凸ブロックが外側から内側へ第一貫通口、第二貫通口及び係止孔を貫通して、係止凸ブロックの係止構造が保持部に係止される。
【考案の効果】
【０００７】
上述したように、本考案に係るメガネ構造は、係止部材の係止凸ブロックが外側から内側へ、すなわちフレームの二つの端部の間の方向へ向かってテンプル本体の第一貫通口、連接アームの第二貫通口及びフレームの係止孔を貫通することにより、係止凸ブロックの係止構造が保持部に係止される。これにより、ねじ止めの固定方法を使用せずに、係止部材によりテンプルをフレームに連接固定でき、テンプルの交換が迅速に行え、フレームとテンプルの取り付け箇所の構造の強化などのメリットを有することができる。
【図面の簡単な説明】
【０００８】
【図１】本考案に係るメガネ構造の第一実施例の一部立体取り付け図である。
【図２】本考案に係るメガネ構造の第一実施例の一部立体分解図である。
【図３】本考案に係るメガネ構造の第一実施例の平面図である。
【図４】本考案に係るメガネ構造の第一実施例の側面図である。
【図５Ａ】本考案に係るメガネ構造の第一実施例の第一取り外し過程の図である。
【図５Ｂ】本考案に係るメガネ構造の第一実施例の第二取り外し過程の図である。
【図５Ｃ】本考案に係るメガネ構造の第一実施例の第三取り外し過程の図である。
【図５Ｄ】本考案に係るメガネ構造の第一実施例の第四取り外し過程の図である。
【図６】本考案に係るメガネ構造の第二実施例の一部立体分解図である。
【考案を実施するための形態】
【０００９】
本考案の特徴及び技術内容は、以下本考案に係る詳細な説明及び添付図面を参照することにより、深く且つ具体的に理解を得ることができる。しかし、それらの添付図面は参考及び説明にのみ使用され、本考案の範囲を狭義的に制限するものではない。
【００１０】
（第一実施例）
本考案の第一実施例のメガネの構造を開示する。図１及び図２によれば、本考案の第一実施例に係るメガネ構造はフレーム１、二つのテンプル２及び二つの係止部材３を有する。
【００１１】
フレーム１は相対する二つの端部１１を有し、いずれの端部１１にも係止孔１１２１が設けられることにより、保持部１１３を形成する。また、フレーム１のいずれの端部１１もカーブ状の湾曲部１１１及び直線状の延伸部１１２を有する。フレーム１の両側に位置する二つの湾曲部１１１は、それぞれ同一方向に延伸して延伸部１１２を形成する。係止孔１１２１は延伸部１１２を貫通することにより柱状の保持部１１３を形成する。前記係止孔１１２１はフレーム１の端部１１の末端部に設けられ、且つ係止孔１１２１は方形を呈する。フレーム１の外観は流線型構造であり、フレーム１の端部１１の外観は湾曲部１１１において次第に縮小して、方形板状の延伸部１１２を形成する。
【００１２】
テンプル２は、テンプル本体２１を有し、テンプル本体２１の一端が湾曲延伸して連接アーム２２を形成する。連接アーム２２はフレーム１の端部１１に隣接し、テンプル本体２１には方形の第一貫通口２１１が設けられ、連接アーム２２には第一貫通口２１１に対応する第二貫通口２２１が設けられる。第二貫通口２２１は方形状を呈する。
【００１３】
テンプル本体２１の一端は、前記延伸部１１２の延伸方向に湾曲延伸して連接アーム２２を形成する。テンプル本体２１の一端と連接アーム２とはに連続してＵ字型を呈する。テンプル本体２１は弾性構造であり、連接アーム２２は係止孔１１２１とテンプル本体２１との間に位置する。更に説明すると、テンプル２を取り外す際に連接アーム２２が適切な湾曲空間を有することで取り外しやすくなるように、連接アーム２２とテンプル本体２１との間が所定距離となるように形成する。取り外し及び取り付け工程は以下で詳細に説明する。
【００１４】
テンプル本体２１のフレーム１から離れた側の一端は、フレーム1の二つの端部１１の間へ向けてカーブして湾曲構造を形成する（図３及び図４を参照）。湾曲構造はメガネ使用者毎の耳の形状に合わせて調整できる。湾曲構造は、複数の湾曲角度の形態を有することができ、所定の構造設計ではない。従って、この分野で使用するあらゆる技術手段はいずれも本考案の応用範囲に属し、これらに制限されるものではない。
【００１５】
本実施例において、図１及び図２を参考にすると、係止部材３は係止凸ブロック３１を有し、係止凸ブロック３１は開口状の係止構造３１１を設け、係止凸ブロック３１は外側から内側へ、すなわちフレーム１の二つの端部１１間の方向へ向かうように第一貫通口２１１、第二貫通口２２１及び係止孔１１２１を順に貫通し、係止凸ブロック３１の係止構造３１１は保持部１１３に係止される。そして、前記係止構造３１１は、テンプル本体２１の第一貫通口２１１に嵌合される。第二貫通口２２１の口径は第一貫通口の口径より大きい。その目的はテンプル２をフレーム１から取り外す場合、第二貫通口２２１内に、係止部材３の係止凸ブロック３１が回動する空間を確保するためであり、これにより、係止凸ブロック３１が所定角度まで回動したとき、テンプル２をフレーム１から取り外せる。
【００１６】
係止部材３は基底３２を有し、基底３２の面積はテンプル本体２１の第一貫通口２１１の面積より大きい。基底３２は係止孔１１２１に近い側の内表面（図２を参照、符号なし）に係止凸ブロック３１が設けられ、係止凸ブロック３１の係止構造３１１が保持部１１３に係止する時、基底３２の内表面は前記テンプル本体２１の連接アーム２２側と反対の外側表面に密着する。そして、テンプル本体２１の第一貫通口２１１に対して大きい面積を有する基底３２は係止凸ブロック３１を第一貫通口２１１に係止する効果を有する。
【００１７】
基底３２の内表面に対して垂直な係止凸ブロック３１の側縁周囲は、第一貫通口２１１及び第二貫通口２２１に対応する形状構造に形成される。第一貫通口２１１及び第二貫通口２２１は方形を呈し、係止孔１１２１、第一貫通口２１１及び第二貫通口２２１の位置が直線上となるよう配列される。前記第一貫通口２１１及び第二貫通口２２１が方形を呈することは好ましい形態ではあるが、これに限られるものではなく、円形または任意の形状を呈する貫通口構造でもよい。
【００１８】
係止構造３１１は、上方から下方へ係止凸ブロック３１を貫通することにより、連続する第一部位３１２及び第二部位３１３を形成する。フレーム１とテンプル２とを取り付け後のメガネ構造の第二部位３１３はフレーム１の二つの延伸部１１２が相対する内側に位置する。係止凸ブロック３１の一方の側面（図２を参照、符号なし）の中央に切れ目状の係止構造３１１が設けられ、係止構造３１１が保持部１１３に係止されるとき、係止凸ブロック３１の一方の側面に相対する係止凸ブロック３１の他方の側面と係止孔１１２１の孔壁との間は所定の距離となる。更に補充説明すると、基底３２の内表面に垂直な係止凸ブロック３１の側縁周囲は方形構造に形成し、且つ、係止孔１１２１は方形を呈するので、係止構造３１１が保持部１１３に係止されるとき、係止凸ブロック３１の側面（上面と下面）が係止孔１１２１の保持部１１３に隣り合う孔壁に対して密着する。
【００１９】
本実施例において、図３及び図４を参考にすると、更に、二つの先セル６を有し、いずれの先セル６もテンプル本体２１のフレーム１から離れた側の一端にかぶせられる。その目的はメガネ使用者の耳の後ろを保護して弾性金属構造のテンプル本体２１の辺縁が耳の後ろの皮膚を圧迫したり傷つけたりするのを防止することにある。
【００２０】
本実施例において、図３及び図４を参考にすると、更に、鼻当て４を有し、フレーム１は二つの端部１１の間に位置する中間部１２を有し、鼻当て４は中間部１２に設けられ鼻に支えられる。
【００２１】
本実施例において、図２及び図３を参考にすると、更に、二つのレンズ５を有し、フレーム１は対称をなす二つのレンズ開口１３を有し、レンズ開口１３は端部１１に隣接し、レンズ５はレンズ開口１３に対応し且つフレーム１に固定される。以下でメガネ構造の使用状態を詳細に説明する。
【００２２】
本考案のメガネ構造が従来のメガネ構造と比較して優れている点は、テンプル２のフレーム１に対する取り付け又は取り外しがより容易となることである。メガネ構造の取り外し過程を例にすると、図５Ａはテンプル２がフレーム１に対して外向きへ開いた時の装着状態である（図２も合わせて参照）。この時、フレーム１の保持部１１３は係止凸ブロック３１の第二部位３１３と連接アーム２２との間に係止される。連接アーム２２が保持部１１３を支えることにより、テンプル２がフレーム１から外れるのを防止する。図５Ｂを参照すると、取り外し時、連接アーム２２の末端は、テンプル本体２１のフレーム１に近い側の内表面に押圧される。次に、テンプル本体２１はフレーム１の保持部１１３を回動の支点として、連接アーム２２に連動してテンプル本体２１はフレーム１の二つの端部１１の間の方向へ適切な角度でヒンジ回動し、テンプル２の所定の取り外し点まで回動したとき、係止凸ブロック３１の第二部位３１３が係止孔１１２１の孔壁に沿ってフレーム１に対して外向きへ向かうように取り外す（図５Ｃを参照）。この時、第一貫通口２１１と第二貫通口２２１に装着された係止部材３を取り外し（図５Ｄを参照）、取り外し作業が完了する。この取り外し工程を参照すれば、テンプル２をフレーム１に取り付けることができるので、取り付け工程の説明は省略する。
【００２３】
（第二実施例）
本考案の第二実施例について開示する。図６を参照して、上述した第一実施例と比較すると、本実施例の改良点は、テンプル本体２１のフレーム１に近い側の一端が、係止孔１１２１側と反対の方向に湾曲延伸して連接アーム２２を形成し、且つ、テンプル本体２１が係止孔１１２１と連接アーム２２との間に位置することである。連接アーム２２の第二貫通口２２１の口径はテンプル本体２１の第一貫通口２１１の口径より小さい。そして、係止部材３の係止凸ブロック３１は外側から内側へ、すなわちフレーム１の二つの端部１１の間の方向へ向かうように連接アーム２２の第二貫通口２２１、テンプル本体２１の第一貫通口２１１及びフレーム１の係止孔１１２１を順に貫通する。係止構造３１１は保持部１１３に係止される。また、本実施例の取り付け及び取り外し工程は上記実施例と略同一であるので、ここでは説明を省略する。
【００２４】
上述したように、本考案に係る各実施例はメガネ構造に関し、係止部材３の係止凸ブロック３１が外側から内側へ、すなわちフレーム１の二つの端部１１の間の方向へ向かうようにテンプル本体２１の第一貫通口２１１、連接アーム２２の第二貫通口２２１（順不同）及びフレーム１の係止孔１１２１を貫通させることにより、係止凸ブロック３１の係止構造３１１が前記保持部１１３に係止される。これにより、ねじ止めの固定方式を使用せずに、係止部材３によりテンプル２をフレーム１に連接固定でき、テンプルの交換も迅速に行え、フレーム１とテンプル２の取り付け箇所の構造の強化、メガネ使用者の利便性が向上するなどのメリットを有することができる。
【符号の説明】
【００２５】
1  フレーム
１１  端部
１１１  湾曲部
１１２  延伸部
１１２１  係止孔
１１３  保持部
１２  中間部
１３  レンズ開口
２  テンプル
２１  テンプル本体
２１１  第一貫通口
２２  連接アーム
２２１  第二貫通口
３  係止部材
３１  係止凸ブロック
３１１  係止構造
３１２  第一部位
３１３  第二部位
３２  基底
４  鼻当て
５  レンズ
６  先セル
【図１】
0003171796.tif 000003
【図２】
0003171796.tif 000004
【図３】
0003171796.tif 000005
【図４】
0003171796.tif 000006
【図５Ａ】
0003171796.tif 000007
【図５Ｂ】
0003171796.tif 000008
【図５Ｃ】
0003171796.tif 000009
【図５Ｄ】
0003171796.tif 000010
【図６】
0003171796.tif 000011